(57)【要約】【課題】  従来のテレビ、電話、ホームページ、メール、チャット等は、統合的に管理が難しく、リアル応答性が悪く、時間的に非効率的であるという問題点があった。ウェブメディアライフエンジンで構築したウェブメディアライフの環境は、どんな場所でもインターネットに接続すれば、リアルタイムで、且つ、レスポンスに応答し、映像音声テキストが同時に表現する。エンドユーザはソフトを持って、わざわざインストールする必要がない。唯一性と統一性を持つので、セキュリティ管理がしやすく、コピーも防ぐことができる。【解決手段】  開発したウェブメディアライフエンジンによって、三次元のウェブメディア仮想空間を構築して、ウェブメディアハウスで現実生活と同じに、コミュニケーションの臨場感を効率的に与える。【選択図】図２３
2005276140.tif 000002
【特許請求の範囲】
【請求項１】
ウェブ仮想空間の構築によるウェブメディアライフサービスの提供とは、
まず、一つの固定ＩＰアドレスを使用して三次元のウェブ仮想空間を構築する。その三次元Ｘ，Ｙ，Ｚ座標の数値は自然数であるため、座標Ｘ，Ｙ，ＺからＸ＋１，Ｙ＋１，Ｚ＋１までは１×１×１の最小単位のウェブ仮想空間が構築でき、この最小単位のウェブ仮想空間をウェブメディアハウスという。座標Ｘ，Ｙ，ＺからＸ＋ａ，Ｙ＋ｂ，Ｚ＋ｃ（ａ，ｂ，ｃは自然数である）まではａ×ｂ×ｃ個のウェブメディアハウスの集まりで、この集まりをウェブメディアブロックという。このウェブメディアブロックとウェブメディアハウスを利用者にサービス提供する。
【請求項２】
請求項１の利用者に対し、利用者自身の識別ＩＤと暗証番号を与える。ウェブメディアハウスは一つのウェブ上での生活空間で、ウェブメディアハウスは現実の建物と同じように鍵がある。この鍵は識別ＩＤと暗証番号です。
発行した識別ＩＤは幾つかのレベルがあり、このレベルは利用者の身分を表す。
このレベルによって、様々の権限・管理機能を与える。
【請求項３】
利用者自身の識別ＩＤと暗証番号の入力を与えることで、利用者に対して、与えられた権限と指定されたウェブメディアブロック・ハウスしか利用することができない。
【請求項４】
ウェブ上での生活空間というのは、仮想空間上での現実生活感を与えること。ウェブメディアハウスは、業種又は利用者の利用用途に従って、業種又は利用者の特徴を含む様々な設計、デザインにより、ウェブメディアハウス毎に異なるサービスを提供する。
【請求項５】
前記載の異なるサービス提供方法を実現するために、ウェブメディアハウス内に設置する装置設備を異える。利用者に対して、会話用マイク、映像を写すカメラ、字絵を書く黒板、ファイルの転送共用、映像放送、資料編集発行、通信機器・電話などを提供する。
【請求項６】
ウェブメディアハウス内の会話方法は、利用者がグループ単位やツーショットする方法など用途に応じて自由に使える。勿論、グループ内の会話や、ツーショットの会話は、他に洩れることはない。
【請求項７】
請求項５に記載の会話用マイクは、参加する人数に応じて設置するマイクの数は１個から複数まで自由に設定できる。また音量も調整することができる。
【請求項８】
請求項５に記載の電話は、ウェブテレビ電話という。この電話はウェブメディアハウスの外に対して、ＩＤと暗号によりモバイルとしても使用でき、外ではテレビ電話、ファイル転送、共有ファイル・資料を閲覧する。
【請求項９】
ウェブメディアハウスの利用者は、資料を発表する場合に、共通アイ・フレームを使用する。
【請求項１０】
記録の機能を設ける。ウェブメディアハウスを使用して通過したことを記録して、再現することができる。
【請求項１１】
ウェブメディアハウスのサービスは多国言語も対応する。
【請求項１２】
本サービスは利用者に対して、特別なプログラムのインストールする必要無く、既存のＷＷＷの環境で実現可能。
【請求項１３】
セキュリティを強化するため、独自のデータベースで、データを暗号化して、暗号化通信を採用する。
【発明の詳細な説明】
【技術分野】
【０００１】  本発明は、一つの固定ＩＰアドレスでウェブメディア空間の構築方法及びウェブメディアハウス（Ｗｅｂ  Ｍｅｄｉａ  Ｈｏｕｓｅ）、ウェブメディアライフ（Ｗｅｂ  Ａｍｅｎｉｔｙ  Ｌｉｆｅ）の設計方法に係り、より具体的にウェブ空間を利用したウェブメディアライフサービスの提供方法に関する。
【背景技術】
【０００２】  従来の技術は、電気通信は電話・テレビ会議など、ウェブ通信はオンデマンド・ホームページ・メール・チャット等が上げられる。
【発明の開示】
【発明が解決しようとする課題】
【０００３】しかしなから、従来は以下の問題がある。【０００４】（１）電話はリアルタイムでレスポンスで応答し、且つ映像音声が同時に表現するが、一対一でしか出来ない。また、リアルタイムで同時にテキストを受けられない。【０００５】（２）テレビ会議は多箇所同時に映像音声を表現するが、リアルタイムで同時にテキストを受けるのは、別の装置が必要で、且つ投資が高く、一般汎用に普及が難しい。【０００６】（３）オンデマンドとホームページは一方通行しかできないので、実世界でコミュニケーションを得られるものと同じ感覚を与えることができない。【０００７】（４）メールはコミュニケーションをある程度までは可能であるが、実世界の臨場感を効率的に転送していないことに問題がある。【０００８】（５）チャットはコミュニケーションをある程度まで交わすことは可能であるが、仮想現実生活感がない、業務及び汎用普及することが不可能。【０００９】  本発明は、上述した問題に鑑みてなされたもので、その目的とするのは、このシステムの仮想ウェブメディア空間内におけるコミュニケーションが、実世界でのコミュニケーションで得られるものと同じ感覚を与える。つまり、ウェブメディア仮想空間で現実生活と同じに、コミュニケーションの臨場感を効率的に転送していることをサービスとして提供する。ウェブメディアライフの仮想空間は世界のどこでも、インターネットのホームページの感じでこのサービスを受けられる。請求項２、３、４の記載によって、ウェブメディアライフの仮想空間の中で、ウェブ家庭・ウェブオフィス・ウェブ施設・ウェブ教育・ウェブ相談・ウェブ街になる。
【課題を解決するための手段】
【００１０】  ウェブメディアライフ（Ｗｅｂ  Ｍｅｄｉａ  Ｌｉｆｅ）サービスは、請求項１記載のように、先ず一つ固定ＩＰアドレスを持つサービスサーバに対して、三次元のウェブメディア仮想空間を構築すること。図１のようにＸ、Ｙ、Ｚは、三方向で無限大に延ばして、無限大な三次元のウェブメディア仮想空間ができる。Ｘの方向の数値はＮ、Ｙの方向の数値はＭ、Ｚの方向の数値はＫで、このウェブメディア仮想空間の大きさは、Ｎ×Ｍ×Ｋである。【００１１】  ウェブメディア仮想空間の中は、図２のようにＮとＫで横平面を構成し、Ｍ層という。ＭとＫの断面をＮ段という。ＭとＮの断面をＫ段という。【００１２】  ウェブメディア仮想空間は多数のブロックを分けられる。図３のように、Ｙ方向でＪ層からＪ＋ａ、Ｘ方向でＱ段からＱ＋ｂ、Ｚ方向でＰ段からＰ＋ｃ、このブロックの大きさはａ×ｂ×ｃでる。【００１３】  ウェブメディア仮想空間の最小単位は、図４のように、Ｙ方向でＭ層からＭ＋１、Ｘ方向でＮ段からＮ＋１、Ｚ方向でＫ段からＫ＋１である。【００１４】  ウェブメディアライフは、大量なウェブハウスとブロックを構築するので、最適化な管理ソフトウェアが必要である。次にウェブハウスの中に音声映像等大量頻繁に他方向に送受信するので、高精度な制御ソフトウェアとエンコーダデーコーダのソフトが必要ある。セキュリテイ管理がＩＤ番号と暗証番号ですが、それでも十分でないので、伝送データは暗号化する。【００１５】  ウェブメディアライフ（Ｗｅｂ  Ｍｅｄｉａ  Ｌｉｆｅ）サービスは記録の機能を設ける。ウェブメディアライフを使用して通過したことを記録して、再現象することができる。例：授業した後、何回も再復習、研究することができる。【００１６】  使用する黒板は透明層になり、ウェブページの上に貼って、自由に書くことできる。【００１７】  多国語対応、自動翻訳。【００１８】  以上の【００１０】から【００１８】の要求により、汎用性があり、使いやすい、拡張性高いエンジンを開発する。ウェブメディアライフエンジン「Ｗｅｂ  Ｍｅｄｉａ  Ｌｉｆｅ  Ｅｎｇｉｎｅ」という。図５を参照する。【００１９】  ウェブメディアライフエンジンは、制御管理部、空間構築部、空間エリア部、データ記憶エリア部、インターフェース、通信制御部の６つの部分で構成されている。【００２０】  制御管理部は空間構築部・空間エリア部・データ記憶エリア部に対して制御管理する。【００２１】  空間構築部は空間エリアに対して、空間エリアブロック・ハウスに対して作成、変更、削除を行う。【００２２】  空間エリア部は空間エリアブロック・ハウスを格納する。【００２３】  データ記憶エリア部は、セキュリティを強化するため、独自のデータベースで、空間のデータを暗号化して、記憶する。【００２４】  インターフェース部は、外部からハウスと接続及びコミュニケーションで、セキュリティを強化することを要求される。【００２５】  通信制御部は、スピードアップのため、通信制御は二つに分けて、同時進行する。通信制御１は外部とハウスの通信制御を担当する。通信制御２はメディア関係の通信制御を担当する。
【発明の効果】
【００２６】  地域の国際化活動、地方公共団体をはじめとする関係者の国際化に対して、現在も年間６０００人以上が日本で語学教育、国際交流活動、またはスポーツ指導に従事している。ウェブメディアライフ・ウェブ環境の理解・普及を推進することにより、国際化活動に有益な情報を頻繁に交換して、日本人が世界各国で活躍する可能性も機会も実現できる。従って、日本で語学教育、国際交流活動、またはスポーツ指導に従事できる人が更に増える。【００２７】  国内に対して、地域社会や産業や学校などのＩＴ活動の中で，ウェブメディアライフを有効に活用していくことにより、家庭や地域とも連携しながら一つのウェブ世界を構築し、新たな事業分野の開拓、個性豊かで活力に満ちた地域社会の実現、地域における就業機会の創出、多様な交流機会の増大が図れる。
【発明を実施するための最良の形態】
【００２８】  以下、図面を参照して本発明の実施の形態について詳細に説明する。
＜実施の形態＞【００２９】  第１の実施の形態は、ウェブメディアライフ空間を作成する。  ウェブサーバを設置して、固定ＩＰアドレスよりウェブ環境を設定する。【００３０】  図５を参照する。ウェブメディアライフ空間を作成するフォームの入れ口、Ｔｏｐ  ｌｅｖｅｌ  ｐａｓｓｗｏｒｄ：  Ｌｏｇｉｎはウェブメディア空間の管理人しか入れません。６００１は暗証番号を入力する。６００２はログインして、ウェブメディアライフ空間に入れる。【００３１】  ウェブメディアライフ空間を作成するフォームの詳細。図７を参照する。７００１は造られたウェブメディアハウスのリスト。７００２はウェブメディアハウスの新規作成、変更、削除をする。７００３はＩＤと暗証番号の発行とレベル設定をする。７００４はウェブメディアハウスの名前を入力する。７００５はウェブメディアハウスの階層数を設定する。７００６はウェブメディアハウスのブロック番号を設定する。７００７はウェブメディアハウスのユーザ数を設定する。７００８はウェブメディアハウス内のマイク数を設定する。【００３２】  図８を参照する。一つのウェブメディアハウスの中にマイクの数は最大８個まで設置することができる。【００３３】  ７００９はマイクを取得したあと、保有時間を設定する。  図９を参照する。マイクを取得したあと、割り込みできない保有時間は５から８０秒までに設定することができる。【００３４】  ７００３のＩＤと暗証番号の発行の詳細、図１０を参照する。図１０  １０００１はＤＩ番号を取得する。１０００２はニックネームを入力する。１０００３は暗証番号を決める。１０００４は確定キーを押して、確定する。１０００５はブロック番号を設定する。１０００６はウェブメディアハウス番号を設定する。【００３５】１０００７はＩＤ番号のレベルを選択する。  図１１に参照する。３種類のレベル：１．Ｕｓｅｒ一般のユーザ；２．ＯＰ管理人；３．ＡｄｖＯＰ上級管理人。【００３６】１０００８は１０００５、１０００５、１０００７の確定キーです。【００３７】  第２の実施の形態は、ウェブメディアライフを利用する説明、図１２のようにＩＤ番号と暗証番号により認証され、指定されたブロックのハウスに入れる。  １２００１はウェブメディアライフを利用するエンドユーザ。  １２００２はエンドユーザがＩＤ番号と暗証番号よりウェブメディアライフを利用する。  １２００３はウェブメディアライフの空間。【００３８】  第３の実施の形態は、ウェブメディアハウスは図１３のように様々の装置機能を持っている。【００３９】  エンドユーザに提供したサービスの流れを説明する。（１）インターネットのホームページを見る感覚で。【００４０】  例えば：固定ＩＰアドレスに対応している「ｈｔｔｐ：／／ｗｗｗ．ｗｅｂｍｅｄｉａ．ｎｅ．ｊｐ」とする。ウェブメディアライフのメインページを立ち上げる。【００４１】（２）立ち上げているメディアライフのメインページ。例：図１４のように１４００１、１４００２、１４００３、１４００４は各ブロックの集まり、この集まりは用途、種類などにより分別される。１４００１は関連性による。１４００２は地域による。１４００３は教育のテーマによる。１４００４は自由度による。【００４２】��３）このブロックのひとつをクリックする。例えば、１４００１の［政治討論］をクリックする。この［政治討論］用のブロックを表示する。図１５のように１５００１はウェブメディアハウスです。このブロックは六つのウェブメディアハウス集が集まっている。ウェブメディアハウスの名前はＩＳＨＩＨＡＲＡ２１（３１）、ＩＳＨＩＨＡＲＡ２２（０）、ＩＳＨＩＨＡＲＡ３１（２）、ＩＳＨＩＨＡＲＡ３２（０）、ＩＳＨＩＨＡＲＡ４１（０）、ＩＳＨＩＨＡＲＡ４２（０）という。【００４３】（４）このウェブメディアハウスのひとつの名前をクリックすると、このウェブメディアハウスに入られるが、ＩＤ番号と暗証番号の認証を必要とする。図１６はＩＤ番号と暗証番号を認証するログインの画面。【００４４】（５）ウェブメディアハウスの中のデザインは、用途によって様々自由になり、以下幾つかの例に上げて説明する。【００４５】（ア）ウェブメディアハウスの中のデザインその１、図１７を参照する。このハウスは英語教室として、説明する。１７００１は発言者の写真或いは映像。１７００２は参加者のリスト。１７００３はサングラスを掛けているキャラクターが先生と管理人のレベル。１７００４は太陽のマークがマイクを持って発言中。１７００５は赤い花のマークを付いているのが先生の代わりの臨時管理人。１７００６は黒板の道具。１７００７は共通フレームで、ウェブ教材を表示している。１７００８はウェブペン。１７００９は制御部で、図１８を参照する。【００４６】（イ）図１８  制御操作部  １８００１は送信相手を選ぶ。１８００２は送信のテキストを書く。１８００３は送信のボタン。１８００４はマイクを取得するボタン。１８００５はカメラを使用するボタン。１８００６は管理者用のボタンで、そのボタンをクリックして、内容は図１９を参照する。１８００７は上級のボタンで、そのボタンをクリックして、内容は図２０を参照する。１８００８はニックネームを変更するボタン。１８００９は選択した相手に内緒話をする要求ボタンで、二人だけで会話ができる。１８０１０は電話。２７図を参照する。【００４７】（ウ）図１９  管理人の機能：１９００１は、部屋に鍵をする。１９００２は選択した相手のＩＰを無効にする。これで暫くこの部屋に入れなくなる。１９００３は、選択した相手を部屋から追い出す。１９００４は、選択した相手のニックネームを変更する。１９００５は選択した相手と強制的に内緒話する。１９００６は、選択した相手に臨時管理機能を付ける。１９００７は、部屋に情報を流す。１９００８は、選択した相手にマイクを渡す。【００４８】（エ）図２０  上級機能：２０００１は、音声の流れを許可する。２０００２は、テキストデータの表示を許可する。２０００３は、内緒の機能を許可する。２０００４は、背景の色を選択する。２０００５は、自分の写真を交換する。２０００６は、共通フレームに対して発表する資料を自分のエリアにアップロードする。図２１を参照する。【００４９】（オ）図２１  発表する資料を自分のエリアにインストールする。２１００１は、自分のエリア内のファイルリスト。２１００２は、自分のエリアに対する操作ボタン。２１００３は、一回で多数のファイルにアップロードが���きる。【００５０】（カ）ウェブメディアハウスの中のデザインその２、図２２を参照する。図２２はウェブカメラを追加すると、現場の状況がよく見える。２２００１は、ウェブカメラの画像。【００５１】（キ）ウェブメディアハウスの中のデザインその３、図２３を参照する。【００５２】  図２３は家庭、家族、友人など、参加するメンバータイプ。２３００１は、この部屋のタイトル。２３００２は、参加したメンバー。２３００３は、広告バー。２３００４は、話題のタイトル。２３００５は、話している人の写真或いは映像。２３００６は、広告欄。２３００７は、文字会話の表示。２３００８は、文字会話の入力欄。２３００９は、文字送信のボタン。２３０１０は、ウェブ新聞ボタン（ウェブ新聞は図２８を参照する）。２３０１１は、ウェブラジオボタン。２３０１２は、ウェブテレビボタン。【００５３】２３０１３は、ウェブ電話ボタン。図２４を参照する。２３０１４は、カメラ使用するボタン。２３０１５は、会話マイクを取得する。２３０１６は、検索ボタン。【００５４】（ク）ウェブ電話：図２３は、２３０１３のウェブ電話ボタンをクリックするタイヤログが出てくる図。図２４のように２４００１は通信相手のリストを選ぶ。図２５参照する。２４００２は、通信相手の番号入力を選ぶ。図２６を参照する。【００５５】（ケ）図２５  通信相手のリストを選ぶ場合。２５００１は、リストから番号を選択する。２５００２は、確定のボタンを押す。【００５６】（コ）図２６  通信相手の番号入力を選ぶ場合、２６００１は番号入力を入力する。２６００２は、確定のボタンを押す。図２５、図２６の確定のボタンを押すと、相手と話すことできる。図２７を参照する。【００５７】（サ）図２７  ２７００１は、ウェブ電話の名称：Ｃ＆Ｃ  Ｃａｌｌ  ＆  Ｃｏｎｎｅｃｔ。２７００２は、相手のお名前。２７００３は、文字通信欄。２７００４は、相手の映像。２７００５は、自分の確認映像。２７００６は、スピーカの音量の調整のボタン。２７００７は、マイクの音量の調整のボタン。２７００８は、多人数で話す要求ボタン。２７００９は、ファイルを図面、映像、音楽を送信するボタン。２７０１０は、ファイルを転送するボタン。２７０１１は、相手の公開情報を見るボタン。２７０１２は、文字送信のボタン。２７０１３は、送信文字を入力する欄。２７０１４は、送受信のデータを記録するボタン。【００５８】（シ）図２８  ウェブ新聞：２８００１はこのチェックボタンの中心が緑になっている時は、皆と同一ページを見て話すことができる。２８００２は次のページを進む。２８００３は前ページを戻る。【００５９】（ス）ウェブメディアハウスの中のデザインその４、図２９を参照する。【００６０】  会議参加者全員が、ひとつの資料を見ながら、リアルタイムでのやり取りが可能。契約書の書き方指導、新制度・新事業の説明、新商品に関するセールス指導等、様々な用途に活用できる。【００６１】  図２９  ２９００１資料等公開欄、これにより参加者全員が同じ資料を見ながら会議が可能。映像、各種データ、ファイル等様々な資料を掲示できる。２９００２文字発言の入力送信欄。２９００３文字発言の表示欄、議事録として保存可能。２９００４制御操作ボタン。２９００５音声・映像ｏｎ  ＆  ｏｆｆ  ボタン、これにより、リアルタイムで実声での会議が可能。
【図面の簡単な説明】
【００６２】
【図１】  １ＩＰアドレスの自由空間図
【図２】  空間のＭ層、Ｎ段、Ｋ段図
【図３】  空間のブロック図
【図４】  空間の最小単位、ハウス図
【図５】  ウェブメディアライフエンジンの図
【図６】  ウェブメディアライフの制御管理のログイン図
【図７】  ウェブメディアライフ空間を作成するフォーム図
【図８】  ハウス内のマイク数を設定する図
【図９】  取得したマイクの時間設定図
【図１０】  ユーザのＩＤと暗証番号の発行図
【図１１】  ユーザのレベルの設定図
【図１２】  ウェブメディアライフの構成図
【図１３】  ウェブメディアハウスの構成図
【図１４】  ウェブメディアライフの実施のメインページの例図
【図１５】  ウェブメディアハウスのブロックの例図
【図１６】  ウェブメディアハウスログイン図
【図１７】  ウェブメディアハウスの実施例１図
【図１８】  ウェブメディアハウスの制御部図
【図１９】  ウェブメディアハウスの管理人の機能図
【図２０】  ウェブメディアハウスの上級機能図
【図２１】  ウェブ資料を自分のエリアにインストールする図
【図２２】  ウェブメディアハウスの実施例２図
【図２３】  ウェブメディアハウスの実施例３図
【図２４】  ウェブ電話設定図
【図２５】  ウェブ電話の番号リスト図
【図２６】  ウェブ電話の番号を入力する図
【図２７】  ウェブ電話の番号の詳細図
【図２８】  ウェブ新聞の例図
【図２９】  ウェブメディアハウスの実施例４図
【図１】
2005276140.tif 000003
【図２】
2005276140.tif 000004
【図３】
2005276140.tif 000005
【図４】
2005276140.tif 000006
【図５】
2005276140.tif 000007
【図６】
2005276140.tif 000008
【図７】
2005276140.tif 000009
【図８】
2005276140.tif 000010
【図９】
2005276140.tif 000011
【図１０】
2005276140.tif 000012
【図１１】
2005276140.tif 000013
【図１２】
2005276140.tif 000014
【図１３】
2005276140.tif 000015
【図１４】
2005276140.tif 000016
【図１５】
2005276140.tif 000017
【図１６】
2005276140.tif 000018
【図１７】
2005276140.tif 000019
【図１８】
2005276140.tif 000020
【図１９】
2005276140.tif 000021
【図２０】
2005276140.tif 000022
【図２１】
2005276140.tif 000023
【図２２】
2005276140.tif 000024
【図２３】
2005276140.tif 000025
【図２４】
2005276140.tif 000026
【図２５】
2005276140.tif 000027
【図２６】
2005276140.tif 000028
【図２７】
2005276140.tif 000029
【図２８】
2005276140.tif 000030
【図２９】
2005276140.tif 000031